(57)【特許請求の範囲】
【請求項１】
冷房用ユニットと暖房用ユニットを内蔵した空調機ユニット１７をシート１４の下方に配置してなるキャビン付トラクタにおいて、前記空調機ユニット１７に空調用のダクト１８を接続し、このダクト１８をシート１４の前端部からフロア１９へ向けて前方へ延設し、その中間部には開口孔２１，２１を設けて開閉自在なグリルドア２２，２２を取り付け、さらにフロア１９の前部で左右に分岐させると共に上方へ立ち上げ、立上り部の左右夫々に前部吹き出し口２０，２０を設け、ダクト１８の下部四隅に突出孔３０，３０を設け、この突出孔３０，３０をフロア１９に形成した４箇所の水抜き用の孔３１，３１に挿入したことを特徴とするキャビン付トラクタの空調装置。
【発明の詳細な説明】
【０００１】
【発明の属する技術分野】
この発明は、キャビン付トラクタの空調装置に関する。
【０００２】
【従来の技術】
従来、キャビン付トラクタにおいては、室内の空気の温度、湿度等を快適な状態に保つために空調装置が設けられることが多いが、一般的にはこの空調装置はキャビンのルーフ内に設けられていた。
【０００３】
【発明が解決しようとする課題】
このようにルーフ内に空調装置を設けると点検を行なうときに作業者は常に上を向いて作業を行なわなければならず、部品の交換時にあってはルーフの上に上がって作業を行なう場合もあり、点検整備等の作業が甚だ面倒で厄介であった。
【０００４】
【課題を解決するための手段】
この発明は、前記不具合を解消するために提案するものであって、次のような技術的手段を講じた。即ち、冷房用ユニットと暖房用ユニットを内蔵した空調機ユニット１７をシート１４の下方に配置してなるキャビン付トラクタにおいて、前記空調機ユニット１７に空調用のダクト１８を接続し、このダクト１８をシート１４の前端部からフロア１９へ向けて前方へ延設し、その中間部には開口孔２１，２１を設けて開閉自在なグリルドア２２，２２を取り付け、さらにフロア１９の前部で左右に分岐させると共に上方へ立ち上げ、立上り部の左右夫々に前部吹き出し口２０，２０を設け、ダクト１８の下部四隅に突出孔３０，３０を設け、この突出孔３０，３０をフロア１９に形成した４箇所の水抜き用の孔３１，３１に挿入したことを特徴とするキャビン付トラクタの空調装置の構成とする。
【０００５】
【作用】
空調機ユニット１７によって冷房された冷気あるいは暖房された暖気はこのユニット１７に接続されたダクト等を介して運転者の顔や足元に吹き付けられる。特にダクト１８の前側において上方に立上がり、左右に分岐した前部吹き出し口２０，２０から冷気あるいは暖気が運転者に吹き付けられるため、作業を快適に行うことができる。そして、空調機ユニットはシートの下方に配置されているので作業者の手が届き易く操作性、作業性が向上する。
また、ダクト１８内に水滴が発生した場合、突出孔３０からフロア１９の外部へ水滴が排水されるので水抜きが容易になると共に、このダクト１８を取り付けるに当たっては突出孔３０をフロア１９の孔３１へ挿入すればダクト１８の位置決めを正確且つ簡易迅速に行うことができる。
【０００６】
【実施例】
以下、本発明の実施例を図１乃至図６に従って詳述する。尚、説明の都合上、従来と同一構成部分も説明する。図１はトラクタ等作業機のキャビン１１の内部を示したものであり、フロントガラス１２の下部に前面パネル１３を設け、シート１４の左右両側にフェンダ１５，１５を取り付けるとともに、シート１４の上方を天井板１６で蓋装する。この天井板は開口部を設けて開閉自在にしてもよく、或いはガラス張りにしてもよい。
【０００７】
前記シート１４の下部に空調機ユニット１７が載置され、図示は省略するが冷房用ユニットと暖房用ユニットを内蔵してある。空調機ユニット１７には空調用のダクト１８が接続され、該ダクト１８はシート１４の前端部からフロア１９へ下がり、フロア１９上を前方へ延設してある。そして、フロア１９の前部でダクト１８は左右に分岐して立ち上げられ、左右夫々に前部吹き出し口２０，２０を設ける。
【０００８】
前記ダクト１８の中間部に開口孔２１，２１…を開穿し、開閉自在なグリルドア２２，２２…を取り付けてある。図２及び図３はグリルドア２２が開放された状態を示し、該グリルドア２２の一端部２２ａにピン２３を設けて開口孔２１の図中縁側に枢着する。グリルドア２２の両側面２４，２４は図中下方へ向けて末広がりに拡開されており、グリルドア２２の拡開された他端部２２ｂに吹き出し口２５を開穿する。更に、グリルドアの他端部２０ｂへストッパ２６を設け、取手２７を突設する。尚、グリルドア２２の裏面側には開口部２８を広く開穿し、図３の矢印Ａに示すように、ダクト１８内部を通過するエアを一定量ダクト１８の外部へ吹き出すように構成してある。又、グリルドア２２の裏面側の下端にもストッパ２９を設けて、グリルドア２２の開放角度を規制する。
【０００９】
図４及び図５はグリルドア２２が閉鎖された状態を示し、グリルドアの一端部２２ａに設けたピン２３を中心にグリルドア２２がダクト１８の内側方向へ回動して、前記グリルドアの他端部２２ｂに設けたストッパ２６が、ダクト１８の開口孔２１の図中下縁側に当接している。前述したように、グリルドア２２の裏面側には開口部２８を広く開穿してあり、図５の矢印Ｂに示すように、ダクト１８内部を通過するエアはグリルドア２２の開口部２８及び吹き出し口２５を通過する。従って、グリルドア２２を閉鎖した状態であっても、グリル内のエアの流通の妨げとはならない。
【００１０】
ここで、図１に示したように、フロア１９に載置されたダクト１８の四隅に突出孔３０，３０…を設けてあり、フロア１９に開穿した水抜き用の孔３１，３１…へ挿入してある。図６は突出孔３０の拡大断面を示し、前記空調機ユニット１７から送風される。エアの温度とキャビン１１内の温度差によってダクト１８内に水滴が発生した場合、該突出孔３０からフロア１９の外部へ水滴が排水される。斯くして、従来のようにドレンパン等を設けて水滴を貯水しておく必要がなくなり、ダクト１８内の水抜きが容易となる。そして、ダクト１８を取り付けるに当っては、該突出孔３０，３０…をフロア１９の孔３１，３１…へ挿入すれば、ダクト１８の位置決めを正確且つ簡易迅速に行うことができる。
【００１１】
【発明の効果】
この発明は、冷房用ユニットと暖房用ユニットを内蔵した空調機ユニット１７をシート１４の下方に配置してなるキャビン付トラクタにおいて、前記空調機ユニット１７に空調用のダクト１８を接続し、このダクト１８をシート１４の前端部からフロア１９へ向けて前方へ延設し、その中間部には開口孔２１，２１を設けて開閉自在なグリルドア２２，２２を取り付け、さらにフロア１９の前部で左右に分岐させると共に上方へ立ち上げ、立上り部の左右夫々に前部吹き出し口２０，２０を設け、ダクト１８の下部四隅に突出孔３０，３０を設け、この突出孔３０，３０をフロア１９に形成した４箇所の水抜き用の孔３１，３１に挿入したので空調機ユニットの点検整備を行なう際に、従来のようにルーフの上に上がったりする手間や面倒な操作が不要となり、点検整備等の作業がやり易くなる。また、作業中は冷気や暖気が前部吹き出し口２０，２０から運転者の顔に向けて、また、ダクト１８中間の開口孔２１から運転者の足元に吹き付けられるため快適に作業が行えると共に、ダクト１８内に水滴が溜まっても突出孔３０からフロア１９の外部へ排水されるので水抜きが容易になる。ダクト１８自体の位置決めも正確且つ簡易迅速に行うことができるため点検作業が容易になる。
【図面の簡単な説明】
【図１】一部を切欠いて示すキャビン内の側面図である。
【図２】ダクトのグリルドアを開放した状態を示す要部斜視図である。
【図３】ダクトのグリルドアを開放した状態を示す要部縦断面図である。
【図４】ダクトのグリルドアを閉鎖した状態を示す要部斜視図である。
【図５】ダクトのグリルドアを開放した状態を示す要部縦断面図である。
【図６】ダクトの突出孔とフロアの孔との係合状態を示す要部縦断面図である。
【符号の説明】
１１        キャビン
１４        シート
１７        空調機ユニット
１８        ダクト
１９        フロア
２１        開口孔
２２        グリルドア
２２ａ      一端部
２２ｂ      他端部
２４        グリルドアの両側面
２５        吹き出し口
２６，２９  ストッパ
２８        開口部
【図１】
0003632615.tif 000002
【図２】
0003632615.tif 000003
【図３】
0003632615.tif 000004
【図４】
0003632615.tif 000005
【図５】
0003632615.tif 000006
【図６】
0003632615.tif 000007